(57)【要約】【課題】湿潤なシート状の内容物を収納する容器において、内容物の取り出しを容易かつ確実にして、同時に乾燥を防止することが可能な、容器を提供することを課題とする。【解決手段】容器本体と、容器本体の開口部に取り付けられた取り出し口部と、取り出し口部を覆って容器を密閉可能かつ開閉可能な蓋部とから構成され、該取り出し口部は、軟質素材または弾性素材からなり、該取り出し口部は、その中央部がすり鉢形状の凹形であって、該凹形の底には、取り出し口の開口を有しており、該すり鉢形状の斜面には、スリットを有しており、該スリットによって、該開口をさらに下方に押し込み可能であることを特徴とする容器である。【選択図】図１
2018108857.tif 000002
【特許請求の範囲】
【請求項１】
容器であって、
容器本体と、容器本体の開口部に取り付けられた取り出し口部と、取り出し口部を覆って容器を密閉可能かつ開閉可能な蓋部とから構成され、
該取り出し口部は、軟質素材または弾性素材からなり、
該取り出し口部は、その中央部がすり鉢形状の凹形であって、
該凹形の底には、取り出し口の開口を有しており、
該すり鉢形状の斜面には、スリットを有しており、
該スリットによって、該開口をさらに下方に押し込み可能である
ことを特徴とする容器。
【請求項２】
蓋部が突起状のインナーリングを有しており、この蓋部を閉じたときに、
インナーリングが取り出し口部の周縁部に押し付けられて、容器を密閉することを特徴とする、請求項１に記載の容器。
【請求項３】
蓋部を閉じたときに、
前記インナーリングがかみ合う凹部が、取り出し口部の周縁部に設けられていることを特徴とする、請求項２に記載の容器。
【発明の詳細な説明】
【技術分野】
【０００１】
本発明は、容器に関するものである。とくに密閉性が高く、シート状の内容物が取り出しやすい構造を備える蓋付きの容器に関するものである。
【背景技術】
【０００２】
われわれの日常生活において、プラスチック材料を用いた包装材料は、様々な用途に用いられている。プラスチック材料の優れている点として、耐水性に優れ、また成形が容易であって、様々な形状にすることが可能で、価格も比較的安価であり、軽量であることが挙げられる。
【０００３】
たとえば、シート状のウエットティッシュの包装材料を例にとれば、容器のキャップまたは本体に別パーツのウエットティッシュの取り出し口がはめ込まれている構造であり、取り出し口には、ウエットティッシュをくわえ込み搾り出す十字のスリットが入っている。
【０００４】
しかしながら、ウエットティッシュが取り出し口から外れることがあり、その場合にはキャップまたは本体を開けて、ウエットティッシュをつまみ出してセットしなおさなければならない不便が生じていた。
【０００５】
またウエットティシュのように、水分または液体の薬物をしみこませてある場合には、乾燥を防止するために、密封性が重要であるが、単純な十字のスリットでは十分であるとはいえない状態である。さらには、単純な十字のスリットの場合には、ウエットティシュがスリットに入り込み、ちぎれたりする恐れもある。
【０００６】
特許文献１にはウエットティッシュ用の容器が提案されているが、容器外側に蓋部があるものの、内側の取り出し口には開口部があって内容物が一部露出している状態であって、乾燥の防止はあまり考慮されておらず、不十分なままである。
【０００７】
あるいは特許文献２には、容器外側の蓋部にはインナーリングがあって、乾燥の防止には一定の配慮はあるものの、内側の取り出し口は十字のスリットであって、内容物のウエットティッシュが取り出し口から外れたり、ちぎれるおそれがある。
【先行技術文献】
【特許文献】
【０００８】
【特許文献１】特開平６−２６３１７４号公報
【特許文献２】特開２００７−１７６５４４号公報
【発明の概要】
【発明が解決しようとする課題】
【０００９】
本発明はこのような状況に鑑みてなされたものであり、湿潤なシート状の内容物を収納する容器において、内容物の取り出しを容易かつ確実にして、同時に乾燥を防止することが可能な、容器を提供することを課題とする。
【課題を解決するための手段】
【００１０】
上記の課題を解決するための手段として、請求項１に記載の発明は、容器であって、
容器本体と、容器本体の開口部に取り付けられた取り出し口部と、取り出し口部を覆って容器を密閉可能かつ開閉可能な蓋部とから構成され、
該取り出し口部は、軟質素材または弾性素材からなり、
該取り出し口部は、その中央部がすり鉢形状の凹形であって、
該凹形の底には、取り出し口の開口を有しており、
該すり鉢形状の斜面には、スリットを有しており、
該スリットによって、該開口をさらに下方に押し込み可能である
ことを特徴とする容器である。
【００１１】
また、請求項２に記載の発明は、蓋部が突起状のインナーリングを有しており、この蓋部を閉じたときに、
インナーリングが取り出し口部の周縁部に押し付けられて、容器を密閉することを特徴とする、請求項１に記載の容器である。
【００１２】
また、請求項３に記載の発明は、前記インナーリングがかみ合う凹部が、取り出し口部の周縁部に設けられていることを特徴とする、請求項２に記載の容器である。
【発明の効果】
【００１３】
本発明によれば、湿潤なシート状の内容物を収納する容器において、内容物の取り出しを容易かつ確実にして、同時に乾燥を防止することが可能な、容器を提供することが可能である。また、内容物が減じた状態においても、変わることなく取出しが容易かつ確実な容器である。
【００１４】
とくに請求項２に記載の発明によれば、湿潤なシート状の内容物を収納する容器において、内容物の取り出しを容易かつ確実にして、同時に乾燥をより確実に防止することが可能な、容器を提供することが可能である。
【００１５】
とくに請求項３に記載の発明によれば、湿潤なシート状の内容物を収納する容器において、内容物の取り出しを容易かつ確実にして、同時に乾燥を更に確実に防止することが可能な、容器を提供することが可能である。
【図面の簡単な説明】
【００１６】
【図１】図１は、本発明に係る容器の一実施態様のうち、蓋部を開いて内容物の取り出しが可能になった状態を説明するための、断面模式図である。
【図２】図２は、本発明に係る容器の一実施態様のうち、蓋部を閉じて容器を密閉した状態を説明するための、断面模式図である。
【図３】図３は、本発明に係る容器の取り出し口部を説明するための、平面模式図である。
【図４】図４は、本発明に係る容器の一実施態様のうち、内容物が減じた後、蓋部を開いて取り出し口部を押し下げて、内容物の取り出しが可能になった状態を説明するための、断面模式図である。
【発明を実施するための形態】
【００１７】
以下、本発明を図１〜図４を参照しながら、更に詳しい説明を加える。ただし本発明は、ここに示す例にのみ限定されるものではない。本発明は、請求項によって限定されるものである。
【００１８】
図１は、本発明に係る容器の一実施態様のうち、蓋部を開いて内容物のつまみ出しが可能になった状態を説明するための、断面模式図である。
【００１９】
本発明による容器（１０）は、容器本体（１）と、容器本体（１）の開口部に取り付けられた取り出し口部（２）と、取り出し口部（２）を覆って容器（１０）を密閉可能かつ
開閉可能な、蓋部（３）とから構成される。
【００２０】
容器本体（１）と蓋部（３）は、折り曲げ可能に接続していてもよく、別部材とすることも可能である。また、取り出し口部（２）と容器本体（１）は、容器本体の中央部で取り出し口部（２）の周縁で連続している。
【００２１】
内容物（５）については、特段の限定を加えるものではないが、たとえばウエットティッシュなどのように、薬液等で湿潤な、シート状の内容物に用いることができる。
【００２２】
取り出し口部（２）は、軟質素材または弾性素材からなり、取り出し口部（２）は、その中央部がすり鉢形状の凹形であって、凹形の底には、取り出し口の開口（４）を有しており、すり鉢形状の斜面（７）には、スリットを有しており、スリットによって、開口をさらに下方に押し込み可能である。
【００２３】
内容物（５）の取り出しは、手指を用いて開口（４）から行なわれる。この際内容物（５）の中央部分は、開口（４）で露出しているのであって、手指が取り出し口部（２）のすり鉢状に凹んだ斜面（７）をガイドにして、容易に開口部（４）に達し、内容物（５）をつまみ上げ、取り出すことができる。
【００２４】
図２は、本発明に係る容器の一実施態様のうち、蓋部を閉じて容器を密閉した状態を説明するための、断面模式図である。
【００２５】
容器（１０）は、蓋部（３）を閉じることによって、取り出し口部（２）を覆って容器（１０）を密閉することができる。蓋部（３）には突起状にインナーリング（６）が設けられており、取り出し口部（２）の周縁部を押し付けて接触する。
【００２６】
すなわち、取り出し口部（２）は、軟質素材または弾性素材であるために、容器（１０）の密閉を確実にすることができる。ここに示す例では、インナーリング（６）は突起状であり、後述のインナーリング構造凹部（１２）を設ける場合には、両者がかみ合って、より容器（１０）の密閉を確実にすることが可能である。
【００２７】
図３は、本発明に係る容器の取り出し口部を説明するための、平面模式図である。
【００２８】
図３は取り出し口部（２）を、容器（１０）上側から見た平面図であって、ここに示す例では円形の外周を有しており、中央部には、開口（４）が丸みを帯びた長方形に開口している。
【００２９】
また蓋部（３）を閉じた際には、円形の外周に沿って設けられたインナーリング構造凹部（１２）と、突起状のインナーリング（６）とがかみ合って、取り出し口部（２）は、軟質素材または弾性素材であるために、容器（１０）の密閉を確実にすることができる。
【００３０】
取り出し口部（２）は、軟質素材または弾性素材である。軟質素材または弾性素材には限定を加えるものではないが、たとえば軟質素材としてポリエチレン、弾性素材としてたとえばシリコンゴムなどを使用することができる。
【００３１】
また、すり鉢形状の斜面（７）には、スリット（９）を有しており、ここで示す例においては、４箇所に鍵形のスリット（９）を設けてある。
【００３２】
スリット（９）の形状は限定を加えるものではないが、斜面（７）の傾斜方向（１１）に対して、交差する方向が、好ましい。この方向であれば、開口（４）を押し下げる際に
、より容易である。
【００３３】
スリット（９）を設けてあることによって、取り出し口部（２）を上から押圧した際にはスリット（９）が開いて開口（４）を容器（１０）下方に押し下げることが容易になる。すなわち、内容物（５）の量が減じて、その表面の位置が下降した際にも、内容物（５）の表面に手指が容易に到達することが可能になり、内容物（５）の取り出しを、容易かつ確実にすることができる。
【００３４】
図４は、本発明に係る容器の一実施態様のうち、内容物が減じた後、蓋部を開いて取り出し口部を押し下げて、内容物の取り出しが可能になった状態を説明するための、断面模式図である。
【００３５】
内容物（５）が減じた後、蓋部（３）を開いて取り出し口部（２）を上から押圧し、矢印（８）の方向に開口（４）を押し下げることができる。内容物が減じて表面の高さが低くなっている状態においても、この開口の押し下げによって、手指は容易に内容物（５）の表面に到達することが可能である。
【００３６】
すなわち、内容物（５）の取り出しは、容易かつ確実に行なうことができ、取り出した後には、取り出し口部（２）は、軟質素材または弾性素材であるために、元の形状にもどって、スリット（９）は再び閉じた形状にもどることができる。
【００３７】
このように、本発明によれば湿潤なシート状の内容物を収納する容器において、内容物の取り出しを容易かつ確実にして、同時に乾燥を防止することが可能な、容器を提供することが可能である。
【符号の説明】
【００３８】
１・・・容器本体
２・・・取り出し口部
３・・・蓋部
４・・・開口
５・・・内容物
６・・・インナーリング
７・・・斜面
８・・・矢印
９・・・スリット
１０・・・容器
１１・・・傾斜方向
１２・・・インナーリング構造凹部
【図１】
2018108857.tif 000003
【図２】
2018108857.tif 000004
【図３】
2018108857.tif 000005
【図４】
2018108857.tif 000006